(57)【要約】【課題】送信応答忘れを防ぐための再度呼び出し機能を有する呼び出し装置およびその方法を提供する。【解決手段】送受信部と送信スイッチとキー操作部との信号を制御部が受けて呼び出しを行う携帯無線通信機の呼び出し装置において、呼び出し時間を設定する第１のカウンタと、再度呼び出しまでの時間を設定する第２のカウンタと、第１のカウンタと第２のカウンタとからの出力信号により制御部が呼び出し用音源とスピーカとの接続操作を行うスイッチとを有する。【選択図】図２
2005347877.tif 000002
【特許請求の範囲】
【請求項１】
送受信部と送信スイッチとキー操作部との信号を制御部が受けて呼び出しを行う携帯無線通信機の呼び出し装置において、
呼び出し時間を設定する第１のカウンタと、再度呼び出しまでの時間を設定する第２のカウンタと、前記第１のカウンタと前記第２のカウンタとからの出力信号により前記制御部が呼び出し用音源とスピーカとの接続操作を行うスイッチとを有することを特徴とする呼び出し装置。
【請求項２】
携帯無線通信機の呼び出し方法であって、
呼び出し音に応じてキーを押すことにより、呼び出し音が一時停止するステップと、
前記一時停止中に送信スイッチを押すことにより、送信状態に入るステップと、
前記一時停止状態で、一時停止時間を経過すると再度呼び出し音が鳴るステップと、
前記再度呼び出し中に前記送信スイッチを押すことにより、前記送信状態に入るステップと、
前記再度呼び出し中に前記送信スイッチを押さなければ、一定時間経過後、呼び出し音が停止となるステップと、
から成ることを特徴とする呼び出し方法。
【請求項３】
携帯無線通信機の呼び出し方法であって、
呼び出し音に応じてキーを押すことにより、呼び出し音が一時停止すると共に、相手局に一時待機の信号を送信するステップと、
前記一時停止中に送信スイッチを押すことにより、送信状態に入るステップと、
前記一時停止状態で、一時停止時間を経過すると再度呼び出し音が鳴るステップと、
前記再度呼び出し中に前記送信スイッチを押すことにより、前記送信状態に入るステップと、
前記再度呼び出し中に前記送信スイッチを押さなければ、一定時間経過後、呼び出し音が停止となるステップと、
から成ることを特徴とする呼び出し方法。
【発明の詳細な説明】
【技術分野】
【０００１】
本発明は、携帯無線通信機の着信呼び出しにおいて、再度呼び出し機能を有する呼び出し装置およびその方法に関する。
【背景技術】
【０００２】
従来において、特開２０００−３１５９７９記載の従来例の様な個別呼び出し、グループ呼び出し、一斉呼び出し等の呼び出し方法がある。従来においては、相手局からの着信を受けて鳴る呼び出し音を一度止めると、再度着信を受けるまでは呼び出し音は鳴らなかった。しかし、車を運転中などの手が離せない状況で呼び出しを受けた場合には、呼び出し音の停止操作を行い、その後応答できる状況になってから、送信応答を行っていた。そのため、応答できる状態になったときに、呼び出しがあったことを忘れていると、再度相手局から呼び出しを受けるまでは、送信応答が行われないという問題があった。
【特許文献１】特開２０００−３１５９７９号公報
【０００３】
図１は、従来の携帯無線通信機の構成を示すブロック図である。表示部４、キー操作部８、プッシュ・ツウ・トーク・スイッチ（ＰＴＴ−ＳＷ）７、およびスピーカ６は、制御部５に接続されている。さらに制御部５は、送受信回路２およびミニマム・シフト・キーング・モデム（ＭＳＫモデム）３に接続されている。アンテナ１およびマイクロフォン９は、送受信回路２に接続されている。
【０００４】
図１において、呼び出したい相手局の番号をキー操作部８から入力すると、ＭＳＫモデム３で変調され、送受信回路２によりミキシングされて、アンテナ１から送信される。呼び出し先相手局の携帯無線通信機は、これをアンテナ１および送受信機２で受信し、ＭＳＫモデム３で復調した番号と自局の個別番号とを、制御部５で比較する。一致していれば、制御部５はスピーカ６により呼び出し音を鳴らし、他局から着信があったことを知らせる。この場合、即時応答が可能であればプッシュ・ツウ・トーク・スイッチ（ＰＴＴ−ＳＷ）７が押され、制御部５は、マイクロフォン９の音声入力を変調し送信するよう送受信回路２を制御し、送信応答が開始される。即時応答ができない場合、キー操作部８のいずれかのキーが押されるか、あるいは一定時間が経過すると呼び出し音は停止する。この場合、呼び出しがあったことを忘れると、再度相手局から呼び出しを受けることになる。
【発明の開示】
【発明が解決しようとする課題】
【０００５】
本発明は、このような問題を解決するためになされたものであり、その目的は、送信応答忘れを防ぐための再度呼び出し機能を有する呼び出し装置およびその方法を提供する。
【課題を解決するための手段】
【０００６】
本発明の呼び出し装置は、送受信部と送信スイッチとキー操作部との信号を制御部が受けて呼び出しを行う携帯無線通信機の呼び出し装置において、
呼び出し時間を設定する第１のカウンタと、再度呼び出しまでの時間を設定する第２のカウンタと、前記第１のカウンタと前記第２のカウンタとからの出力信号により前記制御部が呼び出し用音源とスピーカとの接続操作を行うスイッチとを有することを特徴とする。
【０００７】
本発明の呼び出し方法は、携帯無線通信機の呼び出し方法であって、
呼び出し音に応じてキーを押すことにより、呼び出し音が一時停止するステップと、
前記一時停止中に送信スイッチを押すことにより、送信状態に入るステップと、
前記一時停止状態で、一時停止時間を経過すると再度呼び出し音が鳴るステップと、
前記再度呼び出し中に前記送信スイッチを押すことにより、前記送信状態に入るステップと、
前記再度呼び出し中に前記送信スイッチを押さなければ、一定時間経過後、呼び出し音が停止となるステップと、
から成ることを特徴とする。
【０００８】
本発明の呼び出し方法は、携帯無線通信機の呼び出し方法であって、
呼び出し音に応じてキーを押すことにより、呼び出し音が一時停止すると共に、相手局に一時待機の信号を送信するステップと、
前記一時停止中に送信スイッチを押すことにより、送信状態に入るステップと、
前記一時停止状態で、一時停止時間を経過すると再度呼び出し音が鳴るステップと、
前記再度呼び出し中に前記送信スイッチを押すことにより、前記送信状態に入るステップと、
前記再度呼び出し中に前記送信スイッチを押さなければ、一定時間経過後、呼び出し音が停止となるステップと、
から成ることを特徴とする。
【発明の効果】
【０００９】
本発明によれば、送信応答忘れを防ぐための再度呼び出し機能を有する呼び出し装置およびその方法が実現できる。
【発明を実施するための最良の形態】
【００１０】
本発明による、呼び出し装置の実施の形態について、図２を用いて説明する。図２は、本発明の呼び出し装置の構成を示すブロック図である。アンテナ１が接続された送受信部２と送信スイッチ（プッシュ・ツウ・トーク・スイッチ、ＰＴＴ−ＳＷ）７とキー操作部８と表示部４とは、制御部５に接続されている。さらに制御部５は、第１のカウンタ２１と第２のカウンタ２２とスイッチ２３とに接続されている。また呼び出し用音源２４とスピーカ６とは、スイッチ２３に接続されている。
【００１１】
図２において、アンテナ１と送受信部２により受信された信号が、ＭＳＫモデム３で呼出番号に復調される。制御部５は、その番号と、自局の個別番号とを比較する。一致していれば、スイッチ２３をオンして呼び出し用音源２４とスピーカ６とを接続し、呼び出し音を鳴らし、他局から着信があったことを知らせると共に、表示部４に呼び出し状態を表示させる。また第１のカウンタ２１をスタートさせ、第１のカウンタ２１はあらかじめ設定された呼び出し時間Ｔ０のカウントを開始する。呼び出し時間Ｔ０以内で即時応答が可能であれば、送信スイッチ（ＰＴＴ−ＳＷ）７が押され、制御部５は、スイッチ２３をオフさせて呼び出し音を停止させ、マイクロフォン９の音声入力を変調し送信するよう送受信回路２を制御して、送信応答が開始される。同時に、呼び出し表示は送信表示に切換えられ、第１のカウンタはリセットされる。
【００１２】
即時応答ができない場合、何の操作も行われないで呼び出し時間Ｔ０が経過すると、制御部５は、スイッチ２３をオフして呼び出し音を停止させ、表示部４の呼び出し表示を消去する。呼び出し時間Ｔ０以内にキー操作部８のいずれかのキーが押されると、制御部５は、スイッチ２３をオフして呼び出し音を一時停止すると共に、第１のカウンタをリセットし、第２のカウンタ２２をスタートさせる。第２のカウンタ２２は、あらかじめ設定された一時停止時間Ｔ１のカウントを開始する。さらに制御部５は、送信応答するまでに一時待機状態に入ったことを知らせる信号を、送受信部２とアンテナ１を通して相手局に送信すると共に、表示部４に一時待機状態にあることを表示させる。相手局の携帯無線通信機はこれを受信して、一時待機中を表示部４に表示し、かつ一時待機を知らせるアラート音をスピーカ６から発する。
【００１３】
第２のカウンタ２２が一時停止時間Ｔ１をカウント中に送信スイッチ７が押されると、制御部５は、マイクロフォン９の音声入力を変調し送信するよう送受信回路２を制御し、前述と同様に送信応答が開始され、第２のカウンタ２２はリセットされる。送信スイッチ７が押されないままセットされた一時停止時間Ｔ１が経過すると、第２のカウンタ２２は、一時停止時間Ｔ１が経過したことを知らせる信号を制御部５へ送る。制御部５はこれを受けて、スイッチ２３をオンさせ、スピーカ６は再度呼び出し音を発する。表示部４の表示は、一時停止から呼び出し表示に変わる。このとき送信スイッチ７が押されると、前述と同様に送信応答が開始され、第２のカウンタ２２はリセットされる。送信スイッチが押されないまま呼び出し時間Ｔ０が経過すると、前述と同様に制御部５は、スイッチ２３をオフして呼び出し音を停止させ、表示部４の呼び出し表示を消去する。
【００１４】
図２に示される回路構成は、当該機能を実現する手段であれば、どのような回路あるいは装置であっても良く、また機能の一部または全部をソフトウエアで実現することも可能である。さらに機能実現手段を、複数の回路によって実現しても良く、複数の機能を単一の回路で実現しても良い。また相手局に一時待機状態にあることを知らせる必要が無ければ、相手局に一時待機の信号を送信し、相手局の携帯無線通信機に一時待機中を表示させ、かつそれを知らせるアラーム音を発生させる制御を省略しても良い。
【００１５】
図３は、本発明の呼び出し方法の処理の流れを示すフローチャートである。アンテナ１と送受信部２により受信された信号が、ＭＳＫモデム３で呼出番号に復調され、制御部５は、その番号と自局の個別番号とを比較し、一致していることを確認して呼び出しをスタートする（ステップ１００）。制御部５は、フラグに１を立てる（ステップ１０２）ことにより、スイッチ２３をオンして呼び出し用音源２４とスピーカ６を接続し、呼び出し音を鳴らし、他局から着信があったことを知らせる。同時に、第１のカウンタ２１をスタートさせ、第１のカウンタ２１はあらかじめ設定された呼び出し時間Ｔ０のカウントを開始する（ステップ１０４）。さらに表示部４に呼び出し状態を表示させる（ステップ１０６）。ここで、キー操作部８のいずれのキーも押されず（ステップ１０８）、送信スイッチも押されないで（ステップ１１０）、第１のカウンタ２１にあらかじめ設定された呼び出し時間Ｔ０が経過すると（ステップ１４２）、フラグは０にセットされる（ステップ１４４）。フラグが０にセットされると、呼び出し音は停止し（ステップ１４６）、呼び出し表示は消去される（ステップ１４８）。
【００１６】
呼び出し時間Ｔ０以内で即時応答が可能であれば、キー操作部８のいずれのキーも押されないで（ステップ１０８）、送信スイッチ（ＰＴＴーＳＷ）７が押され（ステップ１１０）、フラグが０にセットされる（ステップ１１２）。フラグが０にセットされると、制御部５は、スイッチ２３をオフさせて呼び出し音を停止させ、第１のカウンタはリセットされる（ステップ１１４）。呼び出し表示は送信表示に切換えられる（ステップ１１６）。さらに制御部５は、マイクロフォン９の音声入力を変調し送信するよう送受信回路２を制御して、送信応答の状態となる（ステップ１１８）。
【００１７】
即時応答ができない場合、呼び出し時間Ｔ０以内にキー操作部８のいずれかのキーが押されると（ステップ１０８）、制御部５は、フラグに２を立てる（ステップ１２２）。フラグに２が立つと、スイッチ２３をオフして呼び出し音を一時停止し、第１のカウンタをリセットして第２のカウンタ２２をスタートさせ、第２のカウンタ２２は、あらかじめ設定された一時停止時間Ｔ１のカウントを開始する（ステップ１２４）。さらに制御部５は、表示部４に一時待機状態にあることを表示させ（ステップ１２６）、送信応答するまでに一時待機状態に入ったことを知らせる信号を、送受信部２とアンテナ１を通して相手局に送信する（ステップ１２８）。相手局の携帯無線通信機はこれを受信して、一時待機中を表示部４に表示し、かつ一時待機を知らせるアラート音をスピーカ６から発する（図示せず）。
【００１８】
第２のカウンタ２２が一時停止時間Ｔ１をカウント中に送信スイッチ７が押されると（ステップ１３０）、ステートはステップ１１２へシフトする。送信スイッチ７が押されないまま（ステップ１３０）、セットされた一時停止時間Ｔ１が経過すると、第２のカウンタ２２は、一時停止時間Ｔ１が経過したことを知らせる信号を制御部５へ送る（ステップ１３２）。制御部５はこれを受けて、フラグを１にセットする（ステップ１３４）。フラグに１が立つとスイッチ２３はオンし、スピーカ６は再度呼び出し音を発する（ステップ１３６）。表示部４の表示は、一時停止から呼び出し表示に変わる（ステップ１３８）。このとき送信スイッチ７が押されると、ステートはステップ１１２へシフトし、第２のカウンタ２２はリセットされる（ステップ１４０）。送信スイッチが押されないまま（ステップ１４０）、呼び出し時間Ｔ０が経過すると（ステップ１４２）、ステートはステップ１４４へシフトする。図３の方法に置いて、相手局に一時待機状態にあることを知らせる必要が無ければ、相手局に一時待機の信号を送信するステップ１２８を省略しても良い。これにより、相手局の携帯無線通信機における一時待機中の表示と、それを知らせるアラーム音は省略される。
【００１９】
以上説明したようにこの呼び出し方法によれば、作業現場へ車で移動中、あるいは手が離せない作業中に呼び出しがあった場合、一時呼び出し音を停止させ、一定時間内に送信応答を行うことを相手局へ知らせることができる。また相手局に知らせたという意識が、送信応答することを強く記憶できると共に、たとえ忘れたとしても、再び呼び出し音が送信応答することを知らせるため、確実に相手局に連絡することが可能となる。
【産業上の利用可能性】
【００２０】
本発明はプッシュ・ツウ・トーク（ＰＴＴ−ＳＷ）型の携帯無線通信機以外の無線通信機にも適用することができる。
【図面の簡単な説明】
【００２１】
【図１】従来の携帯無線通信機の構成を示すブロック図。
【図２】本発明の呼び出し装置の構成を示すブロック図。
【図３】本発明の呼び出し方法の処理の流れを示すフローチャート。
【符号の説明】
【００２２】
１    アンテナ
２    送受信回路
３    ミニマム・シフト・キーイング（ＭＳＫ）モデム
４    表示部
５    制御部
６    スピーカ
７    プッシュ・ツウ・トーク・スイッチ（ＰＴＴ―ＳＷ）、送信スイッチ
８    キー操作部
９    マイクロフォン
２１    第１のカウンタ
２２    第２のカウンタ
２３    スイッチ
２４    呼び出し用音源
【図１】
2005347877.tif 000003
【図２】
2005347877.tif 000004
【図３】
2005347877.tif 000005